(57)【要約】【課題】フィルタ清掃装置のカバーを開けずに、装置内部に溜まったごみを除去することができ、周囲にほこり等を飛散することのない空気調和機を提供する。【解決手段】フィルタ清掃装置１３を、フィルタ５を本体の内外に向けて往復的に移動させるスライド手段と、フィルタ５の一方の面のごみを除去する第１清掃部を有するとともに、除去されたごみを収納するごみ収納部を備えたボトムカバー１７と、フィルタ５の他方の面のごみを除去する第２清掃部を有するトップカバー１９とから構成し、トップカバー１９の一端部に、フィルタ５に臨ませて電気掃除機の吸込ノズル２０の吸引口２０ａ  が装着されるノズル差込み口２１を設けるとともに、トップカバー１９の他端側面に、空気が流入する網目状の通風孔２２を設け、ノズル差込み口２１に電気掃除機の吸引口２０ａ  を装着して、ごみ収納部および、またはフィルタ５上に溜まったごみを電気掃除機に吸引する。【選択図】  図２
2004245440.tif 000002
【特許請求の範囲】
【請求項１】
本体の前面上部に設けられた吸込口と、前面下部に設けられた吹出口とを結ぶ空気通路に、フィルタと、熱交換器と、送風ファンとを夫々配置するとともに、前記フィルタを清掃するフィルタ清掃装置を備えてなる空気調和機において、
前記フィルタ清掃装置は、箱状の集塵ボックスの前後側面に、前記フィルタを前記集塵ボックス内に往復的に導入するためのスリット状の導入口を夫々設けるとともに、前記集塵ボックス内に、前記フィルタの両面に相対向し、同フィルタを清掃する一対のフィルタ清掃部を配置し、前記フィルタを前記本体の内外に向けて往復的に移動させるスライド手段を設け、前記集塵ボックスの上面に、前記フィルタに臨ませて電気掃除機の吸込ノズルが装着されるノズル差込み口を設け、前記ノズル差込み口に前記電気掃除機の吸込ノズルを装着して、前記集塵ボックス内のごみを前記電気掃除機に吸引してなることを特徴とする空気調和機。
【請求項２】
前記集塵ボックスの前記フィルタ上部の一側面に、空気が流入する網目状の通風孔を設けてなることを特徴とする請求項１に記載の空気調和機。
【請求項３】
前記ノズル差込み口に、前記吸込ノズルの挿脱により開閉するシール蓋を設けてなることを特徴とする請求項１に記載の空気調和機。
【請求項４】
前記シール蓋にゴムまたは塩化ビニールのシートを用いてなることを特徴とする請求項３に記載の空気調和機。
【請求項５】
前記ノズル差込み口の下部に、前記吸込ノズルの挿入の深さを規制するストッパを設けてなることを特徴とする請求項１に記載の空気調和機。
【請求項６】
前記フィルタ清掃部は、前記フィルタの一方の面に接触する第１清掃ブラシと、前記フィルタの他方の面に接触する第２清掃ブラシからなることを特徴とする請求項１に記載の空気調和機。
【請求項７】
前記集塵ボックスの前記フィルタ上部内に、同集塵ボックスの長手方向に延伸し、前記清掃ブラシの一端を保持する保持棒と、同保持棒を支持する複数の支柱を設け、同支柱を楕円形状に形成すると共に、長さ方向に対し傾斜させて配置してなることを特徴とする請求項１に記載の空気調和機。
【請求項８】
前記集塵ボックス内に、モータもしくは前記電気掃除機の吸引時の空気流により回転し、前記フィルタに接触する回転ブラシを添設してなることを特徴とする請求項１に記載の空気調和機。
【発明の詳細な説明】
【０００１】
【発明の属する技術分野】
本発明は、汚れたフィルタを自動的に清掃するフィルタ清掃装置を備えた空気調和機に係わり、より詳細には、フィルタ清掃装置のカバーを開けずに、装置内部に溜まったごみを除去できるフィルタ清掃装置の構造に関する。
【０００２】
【従来の技術】
従来の空気調和機は、例えば本体の前面から上面にかけて設けられた吸込口と本体の下部に設けられた吹出口とを結ぶ空気通路に、フィルタと熱交換器と送風機とフィルタ清掃装置を備えた空気調和機において、前記フィルタを前記本体筐体の吸込口の内側に沿って回動させる回動手段と、前記フィルタ上のごみを除去するごみ除去手段とごみ収納部とから構成されるフィルタ清掃装置を備え、複雑に折れ曲がったフィルタ上のごみを自動的に清掃する機能付きの空気調和機がある（例えば、特許文献１参照。）。
【０００３】
しかしながら、上記従来のフィルタの清掃装置付きの空気調和機は、装置内部に溜まったごみを除去する場合、ごみ収納部を本体から取り外してごみを捨てるためごみが周囲に飛び散らかる場合がある。
【０００４】
また、特願２００２−１８７７０８に記載されているように、本体内に、フィルタを本体の内外に向けて往復的に移動させるスライド手段と、フィルタの移動経路に沿ってフィルタと接触するように配置された、フィルタ清掃部を設け、フィルタ清掃部を、フィルタの一方の面を清掃するする第１清掃ブラシを有するボトムカバーと、同ボトムカバーに開閉可能に取付られ、フィルタの他方の面を清掃する第２清掃ブラシを有するトップカバーとを備え、前記ボトムカバーにごみ収納部を設けたものがある。
しかし、この場合もトップカバーを開けて、ごみを除去するため、溜まったほこり等が周囲に飛び散らかる場合がある。
【０００５】
【特許文献１】
特開２００２−５５０４号公報（第１頁、第１図）
【０００６】
【発明が解決しようとする課題】
本発明においては、上記の問題点に鑑み、フィルタ清掃装置のカバーを開けづに、装置内部に溜まったごみを除去することができ、周囲にほこり等を飛散させることのない空気調和機を提供することを目的とする。
【０００７】
【課題を解決するための手段】
本発明は、上記課題を解決するため、本体の前面上部に設けられた吸込口と、前面下部に設けられた吹出口とを結ぶ空気通路に、フィルタと、熱交換器と、送風ファンとを夫々配置するとともに、前記フィルタを清掃するフィルタ清掃装置を備えてなる空気調和機において、
前記フィルタ清掃装置は、箱状の集塵ボックスの前後側面に、前記フィルタを前記集塵ボックス内に往復的に導入するためのスリット状の導入口を夫々設けるとともに、前記集塵ボックス内に、前記フィルタの両面に相対向し、同フィルタを清掃する一対のフィルタ清掃部を配置し、前記フィルタを前記本体の内外に向けて往復的に移動させるスライド手段を設け、前記集塵ボックスの上面に、前記フィルタに臨ませて電気掃除機の吸込ノズルが装着されるノズル差込み口を設け、前記ノズル差込み口に前記電気掃除機の吸込ノズルを装着して、前記集塵ボックス内のごみを前記電気掃除機に吸引してなる構成となっている。
【０００８】
また、前記集塵ボックスの前記フィルタ上部の一側面に、空気が流入する網目状の通風孔を設けてなる構成となっている。
【０００９】
また、前記ノズル差込み口に、前記吸込ノズルの挿脱により開閉するシール蓋を設けてなる構成となっている。
【００１０】
また、前記シール蓋にゴムまたは塩化ビニールのシートを用いてなる構成となっている。
【００１１】
また、前記ノズル差込み口の下部に、前記吸込ノズルの挿入の深さを規制するストッパを設けてなる構成となっている。
【００１２】
また、前記フィルタ清掃部は、前記フィルタの一方の面に接触する第１清掃ブラシと、前記フィルタの他方の面に接触する第２清掃ブラシからなる構成となっている。
【００１３】
また、前記集塵ボックスの前記フィルタ上部内に、同集塵ボックスの長手方向に延伸し、前記清掃ブラシの一端を保持する保持棒と、同保持棒を支持する複数の支柱を設け、同支柱を楕円形状に形成すると共に、長さ方向に対し傾斜させて配置してなる構成となっている。
【００１４】
また、前記集塵ボックス内に、モータもしくは前記電気掃除機の吸引時の空気流により回転し、前記フィルタに接触する回転ブラシを添設してなる構成となっている。
【００１５】
【発明の実施の形態】
以下、本発明の実施の形態を、添付図面に基づいた実施例として説明する。図１は、本発明による空気調和機の一実施例を示す縦断面図で、図２は、本発明によるフィルター清掃装置の一実施例を示す斜視図である。
図１と図２において、１は空気調和機の本体筐体、２は前記本体筐体１の前面から上面かけて形成された吸込口、３は前記本体筐体１の下部に形成された吹出口である。前記吸込口２と吹出口３を結ぶ空気通路４には、空気中の粗ごみを取り除くフィルタ５と送風機６、熱交換器７が配置されている。前記熱交換器７は、ドレンパン８の上部に配置された略垂直部７ａと、その後方から傾斜させた傾斜部７ｂとより形成されている。
【００１６】
９はベースで、同ベース９の上端側には上面パネル１０が取り付けられ、下端側には前面パネル１１が取り付けられている。同前面パネル１１は前記ベース９の両側板を覆うように形成された左右一対の側板を含み、前記ベース９に着脱可能に固定されている。前記前面パネル１１の前面には、前記フィルタ５が本体１外に引出される際に開閉される開閉パネル１２が一体的に設けられている。
【００１７】
前記開閉パネル１２は、上端側を中心に回転可能に軸支されており、前記フィルタ５の往方向移動時には、他端側が前記フィルタ５によって持ち上げられ、前記フィルタ５が本体１外に引出される。
前記フィルタ５は、前記上面パネル１０の吸込口２と前記熱交換器７との間に設けられ、前記熱交換器７に向かう空気中に含まれるごみを除去する。
１３は前記フィルタ５に付着したごみを清掃するためのフィルタ清掃装置である。
【００１８】
前記フィルタ清掃装置１３は、ボトムカバー１７と、トップカバー１９とからなる集塵ボックス１３ａ  を設け、前記フィルタ５を前記本体の内外に向けて往復的に移動させるスライド手段１４（駆動モータ）と、前記フィルタの一方の面（上面）のごみを除去する第１清掃ブラシ１５を有するとともに、除去されたごみを収納するごみ収納部１６を備えたボトムカバー１７と、前記フィルタの他方の面（下面）のごみを除去する第２清掃ブラシ１８を有するトップカバー１９とから構成されている。
【００１９】
前記トップカバー１９の一端部（右側）に、前記フィルタ５に臨ませて、電気掃除機（図示せず）の吸込ノズル２０の吸引口２０ａ  が装着されるノズル差込み口２１が設けられ、前記トップカバー１９の他端（左側）側面に、空気が流入する細かい網目状の通風孔２２を設け、前記ノズル差込み口２１に前記電気掃除機の吸引口２０ａ  を装着して、前記集塵ボックス１３ａ  の前記ごみ収納部１６及び、または前記フィルタ５上に溜まったごみを前記電気掃除機に吸引する構成となっている。
【００２０】
また、前記差込み口２１に、前記吸込ノズル２０の挿脱により開閉する、ゴムまたは塩化ビニールのシートなどからなるシール蓋２１ａ  を設け、前記吸込ノズル２０を差し込まない時は、シール蓋２１ａ  が閉じてほこり等が周囲に飛散しないようになされている。
【００２１】
また、前記差込み口２１の下部に、前記吸込ノズル２０の吸引口２０ａ  の挿入の深さを規制するストッパ２０ｂ  が設けられ、前記ごみ収納部１６に前記吸引口２０ａ  に挿入しすぎないように構成されている。
【００２２】
また、前記第１清掃ブラシ１５は、前記フィルタ５に対してほぼ直角に接触する直立ブラシ１５ａ  からなり、前記第２清掃ブラシ１８は、前記フィルタ５に対して所定角度をもって斜め方向から接触する傾斜ブラシ１８ａ  から構成されている。
これによれば、前記トップカバー１９側のフィルタ面から掻き出されるごみは、再び前記フィルタ５に付着して前記フィルタ清掃装置１３外に持ち出されやすいが、斜め方向に植設された傾斜ブラシ１８ａ  がフィルタの目に差し込まれることで前記フィルタ５に再び付着したごみを確実に掻き取ることができる。
【００２３】
また、前記トップカバー１９の通風路１９ａ  内に、同トップカバー１９の長手方向に延伸し、前記傾斜ブラシ１８ａ  の一端を保持する保持棒１８ｂ  と、同保持棒１８ｂ  を支持する複数の支柱１８ｃ  を設け、同支柱１８ｃ  を楕円形状に形成するとともに、長さ方向に対し傾斜させて配置してなる構成とすることにより、図３に示すように、ごみを吸い込むとき、前記支柱１８ｃ  にごみが引っ掛からないようになっている。
【００２４】
図示しないが、前記トップカバー１９内に、モータもしくは前記電気掃除機の吸引時の空気流により回転し、前記フィルタ５に接触する回転ブラシ２３を添設した構成とすることにより、前記フィルタ５の表面に付着したごみを前記回転ブラシ２３で吹き飛ばし、電気掃除機で吸引し易くしている。
【００２５】
以上に説明したように、前記フィルタの一方の面のごみを除去する第１清掃ブラシ１５を有するとともに、除去されたごみを収納するごみ収納部１６を備えたボトムカバー１７と、前記フィルタの他方の面のごみを除去する第２清掃ブラシ１８を有するトップカバー１９とから構成し、前記トップカバー１９の一端部に、前記フィルタ５に臨ませて、電気掃除機（図示せず）の吸込ノズル２０の吸引口２０ａ  が装着されるノズル差込み口２１が設けられ、前記ノズル差込み口２１に前記電気掃除機の吸引口２０ａ  を装着して、前記集塵ボックス１３ａ  の前記ごみ収納部１６及び、または前記フィルタ５上に溜まったごみを前記電気掃除機に吸引することにより、フィルタ清掃装置１３のカバーを開けづに、装置内部に溜まったごみを除去することができ、周囲にほこり等を飛散させることのない空気調和機となる。
【００２６】
【発明の効果】
以上説明したように、本発明によれば、フィルタ清掃装置のカバーを開けづに、装置内部に溜まったごみを除去することができ、周囲にほこり等を飛散させることのない空気調和機となる。
【図面の簡単な説明】
【図１】本発明による空気調和機の一実施例を示す断面図である。
【図２】本発明による空気調和機の一実施例を示す要部斜視図である。
【図３】本発明によるトップカバー内の通風路の部分断面図である。
【符号の説明】
１  空気調和機本体
２  吸込口
３  吹出口
４  空気通路
５  フィルタ
６  送風ファン
７  熱交換器
８  ドレンパン
９  ベース
１０  上面パネル
１１  前面パネル
１２  開閉パネル
１３  フィルタ清掃装置
１３ａ  集塵ボックス
１４  スライド手段（駆動モ─タ）
１５  第１清掃ブラシ
１５ａ  直立ブラシ
１６  ごみ収納部
１７  ボトムカバー
１８  第２清掃ブラシ
１８ａ  傾斜ブラシ
１８ｂ  保持棒
１８ｃ  支柱
１９  トップカバー
２０  吸込ノズル
２０ａ  吸引口
２０ｂ  ストッパ
２１    ノズル差込み口
２１ａ  シール蓋
２２  通風孔
２３  回転ブラシ
【図１】
2004245440.tif 000003
【図２】
2004245440.tif 000004
【図３】
2004245440.tif 000005